(57)【要約】【課題】  前後壁の折り畳み構造を簡略化すると共に、上下方向の荷重に対する強度を高め、しかも運搬者が確実に両手で持ち運ぶことができるようにする。【解決手段】  前後壁２・３、左右壁４・５および底壁６を有し、前後壁２・３はその上下両縁寄り部分および高さ中央部分にそれぞれ水平方向に伸びる折り線１２〜１４が形成されて、前後壁２・３が内方に折り畳み自在となされ、左右壁４・５はその上端寄り部分に折り線１５が形成されて内方へ折り曲げ自在となされた折り畳みコンテナであって、前後壁２・３における三本の折り線１２〜１４のうち、少なくとも一本が熱罫線で形成されており、前後壁２・３の両側端には左右壁４・５の外面における中央方向へ突出した掛止部１７が形成されている。【選択図】  図１
2012111519.tif 000002
【特許請求の範囲】
【請求項１】
前後壁、左右壁および底壁を有し、前後壁はその上下両縁寄り部分および高さ中央部分にそれぞれ水平方向に伸びる折り線が形成されて、前後壁が内方に折り畳み自在となされ、左右壁はその上端寄り部分に折り線が形成されて内方へ折り曲げ自在となされた折り畳みコンテナにおいて、前後壁における三本の折り線のうち、少なくとも一本が熱罫線で形成されており、前後壁の両側端には左右壁の外面における中央方向へ突出した掛止部が形成されている、プラスチック段ボール製折り畳みコンテナ。
【請求項２】
前後壁における三本の折り線のうち、上下両縁寄り部分の折り線が前後壁の外側からハーフカットが施されたものであり、高さ中央部分における折り線が内側からＶ字状に凹んだ熱罫線である、請求項１記載のプラスチック段ボール製折り畳みコンテナ。
【請求項３】
前後壁における掛止部と左右壁の外面における縁部とが面ファスナで着脱自在となされている、請求項１または請求項２記載のプラスチック段ボール製折り畳みコンテナ。
【請求項４】
底壁の両端に左右壁の外面へ突出する起立壁が形成された、請求項１〜請求項３のうちのいずれか一項記載のプラスチック段ボール製折り畳みコンテナ。
【請求項５】
前後壁がそれぞれ二重構造であって、それらの各内側壁に少なくとも一つの取っ手が取り付けられ、各外側壁には前記取っ手が露出する開口部が形成された、請求項１〜請求項４のうちのいずれか一項記載のプラスチック段ボール製折り畳みコンテナ。
【発明の詳細な説明】
【技術分野】
【０００１】
本発明は、プラスチック段ボールで構成された折り畳み自在なコンテナに関する。
【背景技術】
【０００２】
従来、プラスチック段ボール製の折り畳みコンテナは、横長方形の底板の前後縁に長側面を構成する前後一対の側板が立設され、また前記底板の左右両端に短側面を構成する左右一対の側板が立設され、前後の側板と左右の側板は互いに横断面下向きコ字形のプラスチック製フレーム部材およびコーナー部材によって連結されていた。
【０００３】
そして、前記長側面を構成する側板を折り畳み自在とするために、通常、該側板の上下縁寄り部分においては、側板を構成するプラスチック段ボールの内側面のみを残して中空部および外側面を水平に切るハーフカット（半切り）が行われる一方、該側板の高さ中央部分にはプラスチック段ボールの外側面のみを残して中空部および内側面を水平に切るハーフカット（半切り）が行われ、このような合計三本のハーフカットによって前記側板が当該コンテナの内方へ折り畳まれる構造となっていた。
【０００４】
また、従来のプラスチック段ボール製の折り畳みコンテナでは、左右の短側面に当該コンテナを持ち運ぶための取っ手が取り付けられていた。
【先行技術文献】
【特許文献】
【０００５】
【特許文献１】特許第２５９４５２５号公報
【特許文献２】特許第３３３３１５１号公報
【特許文献３】特許第３４７０８１５号公報
【発明の概要】
【発明が解決しようとする課題】
【０００６】
前項で述べた従来のプラスチック段ボール製折り畳みコンテナは、長側面を構成する側板を折り畳み自在とするために、該側板の上下縁寄り部分においては、外側からのハーフカットを行い、高さ中央部分では内側からのハーフカットを行う必要があり、そのため当該ハーフカットを実行するためには、それぞれカット刃を有する外側用木型と内側用木型の両方が必要となり、またこれら内外面のハーフカットを行うためにはプラスチック段ボールの一面をカットしてから内外面を逆にしてもう一面をカットするという煩雑な作業を行う必要があった。
【０００７】
また前述したように、側板の水平方向に合計三本のハーフカットを行った場合、折れ曲がり易い構造となり、そのため当該コンテナを組み立て状態で中に物品を収容して積み重ねた場合、上下方向からの荷重に対しては、十分な強度が得られないおそれがあった。
【０００８】
更に、従来のコンテナでは、左右の短側面に当該コンテナを持ち運ぶための取っ手が取り付けられていたが、コンテナが長尺となる場合には運搬者の両手が左右の取っ手にそれぞれ届かない場合があった。また、このような不都合を解消するために、前後の長側面に取っ手を設けることも考えられるが、この場合、長側面を構成する側板を折り畳んだ際に、その中に取っ手が挟まった状態となることから、長側面を完全に薄く折り畳むことができないという不都合が生じた。
【０００９】
また、従来のコンテナでは、左右壁を構成する側板の下端と底板とは嵌合する構造であったため、構造が複雑で製造に手間を要するという問題もあった。
【００１０】
本発明の目的は、側板の折り畳み構造を簡略化すると共に、上下方向の荷重に対する強度を高め、しかも運搬者が確実に両手で持ち運ぶことができる折り畳みコンテナを提供することにある。
【課題を解決するための手段】
【００１１】
請求項１記載の本発明は、前後壁、左右壁および底壁を有し、前後壁はその上下両縁寄り部分および高さ中央部分にそれぞれ水平方向に伸びる折り線が形成されて、前後壁が内方に折り畳み自在となされ、左右壁はその上端寄り部分に折り線が形成されて内方へ折り曲げ自在となされた折り畳みコンテナにおいて、前後壁における三本の折り線のうち、少なくとも一本が熱罫線で形成されており、前後壁の両側端には左右壁の外面における中央方向へ突出した掛止部が形成されているプラスチック段ボール製折り畳みコンテナである。
【００１２】
請求項２記載の本発明は、前記請求項１記載のプラスチック段ボール製折り畳みコンテナについて、前後壁における三本の折り線のうち、上下両縁寄り部分の折り線が前後壁の外側からハーフカットが施されたものであり、高さ中央部分における折り線が内側からＶ字状に凹んだ熱罫線であることを特徴とするものである。
【００１３】
請求項３記載の本発明は、前記請求項１または請求項２記載のプラスチック段ボール製折り畳みコンテナについて、前後壁における掛止部と左右壁の外面における縁部とが面ファスナで着脱自在となされていることを特徴とするものである。
【００１４】
請求項４記載の本発明は、前記請求項１〜請求項３のうちのいずれか一項記載のプラスチック段ボール製折り畳みコンテナについて、底壁の両端に左右壁の外面へ突出する起立壁が形成されたことを特徴とするものである。
【００１５】
請求項５記載の本発明は、前記請求項１〜請求項４のうちのいずれか一項記載のプラスチック段ボール製折り畳みコンテナについて、前後壁がそれぞれ二重構造であって、それらの各内側壁に少なくとも一つの取っ手が取り付けられ、各外側壁には前記取っ手が露出する開口部が形成されたことを特徴とするものである。
【発明の効果】
【００１６】
請求項１記載の本発明に係る折り畳みコンテナによれば、前後壁における三本の折り線のうち、少なくとも一本が熱罫線で形成されているため、三本の折り線すべてがハーフカットである従来のコンテナに比べて上下方向の荷重に対する強度を高めることができる。
【００１７】
請求項２記載の本発明に係るコンテナは、前後壁における三本の折り線のうち、上下両縁寄り部分の折り線が前後壁の外側からハーフカットが施されたものであり、高さ中央部分における折り線が内側からＶ字状に凹んだ熱罫線であるため、当該コンテナを製作するにあたっては、前後壁の一側におけるハーフカットを行うための一つの木型のみで済み、従来のように、左右両側をハーフカットするための二つの木型が必要となされず、そのため製造設備並びに製造工程の簡略化を図ることができる。
【００１８】
また更に、左右壁は前後壁に設けられた掛止部によって止められる構造となっているため、従来に比べて左右壁の下端部分の構造を簡略化することができる。
【００１９】
請求項３記載の本発明によれば、前後壁における掛止部と左右壁の外面における縁部とが面ファスナで着脱自在となされているため、左右壁をより強固に固定することができるという利点がある。
【００２０】
請求項４記載の本発明によれば、底壁の両端に左右壁の外面へ突出する起立壁が形成されているため、左右壁の下端部分が当該起立壁によって止められ、これが前後壁の掛止部による掛止と相俟って左右壁による閉止がより強固に行え、しかも左右壁の下端と底壁の上面との間に隙間が発生してもこれが起立壁によって閉止されるという利点がある。
【００２１】
請求項５記載の本発明は、前後壁がそれぞれ二重構造であって、それらの各内側壁に少なくとも一つの取っ手が取り付けられ、各外側壁には前記取っ手が露出する開口部が形成された構造であるため、当該コンテナが長尺である場合でも運搬者は前後壁の取っ手を両手で持って確実に持ち運ぶことができる。
【図面の簡単な説明】
【００２２】
【図１】実施形態に係る折り畳みコンテナの斜視図である。
【図２】同コンテナの前後壁中央部分の横断面図である。
【図３】同コンテナの前後壁における取っ手部分の横断面図である。
【図４】同コンテナの左右壁部分の横断面図である。
【図５】同コンテナの折り畳み途中の状態を示す側面図である。
【図６】同コンテナの折り畳み状態を示す斜視図である。
【図７】同コンテナの折り畳み状態を示す正面図である。
【図８】プラスチック段ボールの他の実施形態を示す斜視図である。
【発明を実施するための形態】
【００２３】
次に、本発明の実施形態を図面にしたがって説明するが、本発明はかかる実施形態に限定されるものではない。
【００２４】
図１に示すように、本実施形態の折り畳みコンテナ１は、上部が開口した横長箱形であって、断面が連続する方形中空状の一体成形された汎用プラスチック段ボールで構成され、前後壁２・３、左右壁４・５および底壁６を有しており、より詳細には、図２および図３に示すように、前後壁２・３は前記底壁６とつながっている外側壁２Ａ・３Ａと該外側壁２Ａ・３Ａの内側に隣設された内側壁２Ｂ・３Ｂとからなる二重構造となされている。そして、外側壁２Ａ・３Ａおよび底壁６を一連に構成する汎用プラスチック段ボールはその中空部が外側壁２Ａ・３Ａおよび底壁６を横断する態様で使用されており、内側壁２Ｂ・３Ｂを構成する汎用プラスチック段ボールは中空部が当該壁の長さ方向に伸びる態様で使用されている。また、底壁６も前後壁２・３の外側壁２Ａ・３Ａとつながっている下側壁６Ａと該下側壁６Ａ上に重ねられた上側壁６Ｂとからなる二重構造となされており、更に上側壁６Ｂの両端には左右壁４・５の外面へ突出する起立壁２２が形成されている。なお、底壁６の上側壁６Ｂを構成する汎用プラスチック段ボールはその中空部が上側壁６Ｂの長さ方向に伸びる態様で使用されている。
【００２５】
図４に示すように、左右壁４・５はその上縁がハーフカットされて折り返され、該部が横断面コ字形のフレーム部材７に嵌め入れられており、また前記前後壁２・３を構成する外側壁２Ａ・３Ａおよび内側壁２Ｂ・３Ｂもそれらの上縁が横断面コ字形のフレーム部材８に嵌め入れられており、そして、両フレーム部材７・８の両端はそれぞれコーナー部材９に嵌め入れられてリベット２０で結合されている。また、左右壁４・５の内面下縁には帯状体１１が一体に付設されている。
【００２６】
次に、本実施形態に係る折り畳みコンテナ１の折り曲げ構造について説明すると、図１〜図３および図５に示すように、前後壁２．３の外側壁２Ａ・３Ａはその上下両縁寄り部分および高さ中央部分にそれぞれ水平方向に伸びる折り線１２・１３・１４が形成されて、前後壁２・３が内方に折り畳み自在となされ、図１、図４および図６に示すように、左右壁４・５はその上端寄り部分に折り線１５が形成されて内方へ折り曲げ自在となされている。
【００２７】
そして、図２、図３および図５に示すように、本実施形態では、前後壁２・３の外側壁２Ａ・３Ａにおける三本の折り線１２・１３・１４のうち、上下両縁寄り部分の折り線１２・１４は外側壁２Ａ・３Ａの外側からハーフカットが施されたものであり、高さ中央部分における折り線１３は外側壁２Ａ・３Ａの内側からＶ字状に凹んだ熱罫線となされている。また、左右壁４・５の折り線１５は左右壁４・５の外側からハーフカットが施されたものである。
【００２８】
図１、図４および図５に示すように、前後壁２・３の内側壁２Ｂ・３Ｂの両側端には該部から屈曲して左右壁４・５の外面の中央方向へ突出した掛止部１７が形成され、掛止部１７の内面とこれに対向する左右壁４・５の外面は一対の面ファスナ２１によって着脱自在となされている。また図１および図３に示すように、前後壁２・３の内側壁２Ｂ・３Ｂにはそれぞれ一つの取っ手１８Ａ・１８Ｂが取り付けられ、一方の取っ手１８Ａは内側壁２Ｂの一端寄り部分に位置し、他方の取っ手１８Ｂは内側壁３Ｂの他端寄り部分に位置し、且つ両取っ手１８Ａ・１８Ｂはそれぞれにおける折り線１２と折り線１３との間に位置している。一方、前後壁２・３の各外側壁２Ａ・３Ａには前記取っ手１８Ａ・１８Ｂが露出する方形の開口部１９が形成されている。なお、本実施形態では、前記掛止部１７は、前後壁２・３の内側壁２Ｂ・３Ｂの両側端を熱曲げすることによって形成されているが、本発明はこれに限定されず、掛止部を別部材で作製し、これを前後壁２・３の内側壁２Ｂ・３Ｂの両側端に固定するようにしても良い。
【００２９】
次に、本実施形態に係る折り畳みコンテナ１の使用要領につい  て説明すると、図１に示すように、当該コンテナ１が組み立てられた状態において、先ず左右壁４・５が掛止されている前後壁２・３の掛止部１７における一対の面ファスナ２１を外して左右壁４・５をコンテナ内方へ折り畳んだ後、図５に示すように、前後壁２・３における内側壁２Ｂ・３Ｂをコンテナ内方へ折る曲げ、その後、前後壁２・３の外側壁２Ａ・３Ａを、その高さ中央の折り線１３から折り曲げ、続いて更に上下の折り線１２および折り線１４から折り曲げることにより、図６および図７に示すように、当該コンテナ１が完全に折り畳まれた状態となる。そして、この場合、前後壁２・３における内側壁２Ｂ・３Ｂに取り付けられた取っ手１８Ａ・１８Ｂはそれぞれ外側壁２Ａ・３Ａの開口部１９内に収容されるため、取っ手１８Ａ・１８Ｂが前後壁２・３の折り曲げの妨げになることがない。
【００３０】
また、本実施形態の折り畳みコンテナ１では、前述したように、取っ手１８Ａ・１８Ｂがそれぞれ前後壁２・３に取り付けられ、従来のように、左右壁４・５に取り付けられていないため、コンテナが長尺となった場合でも運搬者は両手を取っ手１８Ａ・１８Ｂに確実に掛けて持ち運ぶことができる。
【００３１】
なお、本実施形態のコンテナ１は、全体が汎用プラスチック段ボールで構成されているが、本発明のコンテナはこれに限定されるものでなく、図８に示すように、ハニカム状の芯材３１がその両側の外皮シート３２で挟止されたような構造のものであっても良い。
【産業上の利用可能性】
【００３２】
本発明の折り畳みコンテナは、前述したように、簡単に折り畳むことができ、しかも長さが長尺となる場合でも確実に持ち運ぶことができるため、この種プラスチック段ボール  箱の分野において幅広い利用が期待できる。  
【符号の説明】
【００３３】
１  折り畳みコンテナ
２・３  前後壁
２Ａ・３Ａ  外側壁
２Ｂ・３Ｂ  内側壁
４・５  左右壁
６  底壁
１２〜１５  折り線
１７  掛止部
１８Ａ・１８Ｂ  取っ手
１９  開口部
【図１】
2012111519.tif 000003
【図２】
2012111519.tif 000004
【図３】
2012111519.tif 000005
【図４】
2012111519.tif 000006
【図５】
2012111519.tif 000007
【図６】
2012111519.tif 000008
【図７】
2012111519.tif 000009
【図８】
2012111519.tif 000010